(57)【要約】【課題】  簡易な工程で外観意匠性を向上させる。【解決手段】  外部から視認できる遊技機の球皿前面を樹脂成形体２で覆う。樹脂成形体２は、２色成形により、厚み方向で複数の樹脂層２１，２２を重ねた構造としてある。樹脂層２１，２２は透光性を有し、異なる色に着色された着色層である。樹脂層２１は上端部から下端部へ向けて徐々に厚みを単調に厚くしてあり、樹脂層２２は上端部から下端部へ向けて徐々に厚みを単調に薄くしてある。樹脂層２２の、他の樹脂層２１との接触面２２ａに凸の立体パターン３が描かれている。【選択図】        図２
2005052530.tif 000002
【特許請求の範囲】
【請求項１】
外部から視認できる遊技機本体ないし当該遊技機本体に取り付けられる部品の表面を樹脂成形体で構成し、当該樹脂成形体を、厚み方向で複数の樹脂層を重ねた構造とするとともに、少なくとも前記表面に対して最奥に位置する樹脂層以外の樹脂層を透光性を有する樹脂層となして、これら樹脂層のうち少なくとも２層を互いに異なる色の着色層とし、着色層の少なくとも一方の、少なくともその一部で厚みを変化させたことを特徴とする遊技機。
【請求項２】
上記樹脂成形体を、２色成形を含む多色成形で成形した請求項１に記載の遊技機。
【請求項３】
上記着色層の、他の樹脂層との接触面に凹または凸の立体パターンを描いた請求項１又は２に記載の遊技機。
【請求項４】
前記遊技機本体は球皿である請求項１ないし３のいずれかに記載の遊技機。
【発明の詳細な説明】
【技術分野】
【０００１】
本発明は遊技機に関し、その意匠性の向上を図った遊技機に関する。
【背景技術】
【０００２】
従来、例えばパチンコ遊技機等において、その意匠性の向上を図るために、前枠やガラス枠、あるいは球皿等に模様等を付することが行われている。従来は、例えば特許文献１に示されているように、模様を印刷したフィルムやシート等を金型内に挿置して射出成形する等によって模様を付した上記前枠等を製造している。
【特許文献１】特開平１０−２１６２９９
【発明の開示】
【発明が解決しようとする課題】
【０００３】
しかし、上記従来のものではフィルムやシートの製作、印刷、トリミング等に多くの工程を要するため簡易に製造することができないという問題があった。
【０００４】
そこで、本発明はこのような課題を解決するもので、簡易な工程で外観意匠性を向上させることができる遊技機を提供することを目的とする。
【課題を解決するための手段】
【０００５】
上記目的を達成するために本発明では、外部から視認できる遊技機本体（１３）ないし当該遊技機本体に取り付けられる部品の表面を樹脂成形体（２）で構成し、当該樹脂成形体（２）を、厚み方向で複数の樹脂層（２１，２２）を重ねた構造とするとともに、少なくとも上記表面に対して最奥に位置する樹脂層（２２）以外の樹脂層（２１）を透光性を有する樹脂層となして、これら樹脂層（２１，２２）のうち少なくとも２層を互いに異なる色の着色層とし、着色層の少なくとも一方の、少なくともその一部で厚みを変化させる。なお、この厚み変化は、徐々に単調に変化するものとできる。
【０００６】
本発明においては、重ねた樹脂層のうち少なくとも２層を互いに異なる色の着色層としているから、樹脂成形体を正面から見ると、各着色層の色を混合した色彩が視認される。そして、着色層の少なくとも一方の、少なくともその一部で厚みを変化させることにより、この部分では混合される色の割合が変わるため、他の部分とは異なる色彩が視認される。本発明によれば、このように樹脂層を重ねるだけで、従来のような煩雑な工程を要することなく、遊技機の外観意匠性を簡易な工程で向上させることができる。なお、厚み変化を徐々に単調に変化するものとすればグラデーション模様を得ることができる。  
【０００７】
上記樹脂成形体（２）は２色成形を含む多色成形で成形することができる。また、上記着色層（２２）の、他の樹脂層（２１）との接触面（２２ａ）に凹または凸の立体パターン（３）を描くようにしても良い。これによれば、立体パターン部ではその周囲と着色層の厚みが異なるから、立体パターンによって表わされた文字等が浮き出るように視認されて、さらに意匠性が向上する。このような樹脂成形体（２）は球皿（１３）の表面を覆うようにすると好適である。
【０００８】
なお、上記カッコ内の符号は、後述する実施形態に記載の具体的手段との対応関係を示すものである。
【発明の効果】
【０００９】
本発明の遊技機によれば、従来のように模様を印刷したフィルムやシート等を金型内に挿置して射出成形する等の煩雑な工程を経ることなく、簡易な工程で外観意匠性を向上させることができる。
【発明を実施するための最良の形態】
【００１０】
図１には本発明の一実施形態におけるパチンコ遊技機１の正面図を示す。本遊技機１では遊技機本体たる上球皿１３の前面を以下に説明するような樹脂成形体２で覆ってある。なお、この樹脂成形体２は前枠１１、ガラス枠１２、下球皿１４等の他の遊技機本体、あるいは遊技機本体を構成する遊技盤上に取り付けられた役物１５等の部品の表面に設けるようにしても良い。
【００１１】
上球皿１３の前面を覆う樹脂成形体２の上下方向の横断面を図２に示す。樹脂成形体２は上球皿１３の前面に沿って上下端部を屈曲させた板体で、その厚み方向に二層の樹脂層２１，２２を重ねて構成されている。樹脂層２１，２２は本実施形態ではいずれも透光性のもので、樹脂層２１は青色、樹脂層２２は赤色に着色されて着色層となっている。樹脂成形体２の厚みはほぼ一定としてあり、樹脂成形体２の上端部では樹脂層２２が厚くなってその分樹脂層２１は薄くなり、下端部では樹脂層２１が厚くなってその分樹脂層２２は薄くなっている。そして、樹脂層２２は上端から下端へ徐々に厚みが単調に薄くなり、反対に樹脂層２１は上端から下端へ徐々に厚みが単調に厚くなっている。
【００１２】
樹脂成形体２の上下方向の中間位置では、樹脂層（着色層）２２の、樹脂層２１との接触面２２ａの一部を段付きに凸状に突出させて（樹脂層２１にとっては凹状に窪む）立体パターン３が描いてある。本実施形態では当該立体パターン３は正面視で図１に示すように「ＭＲＤ」の文字パターンとしてある。このような樹脂成形体２は２色成形やインサート成形により製造される。なお、樹脂成形体２の裏面（すなわち樹脂層２２の裏面）には全面に、塗装あるいは印刷等で白色層２３が形成されている。
【００１３】
上記遊技機において、上球皿１３を正面から見ると（図１）、樹脂成形体２の樹脂層２１，２２を透過した光が白色層２３で反射させられて前方へ戻る過程で、上球皿１３の上端部では相対的に厚い赤色の樹脂層２２を通過するため全体として赤色が勝り、一方、上球皿１３の下端部では相対的に厚い青色の樹脂層２１を通過するために全体として青色が勝る。そして、樹脂層２１，２２がほぼ同厚となった上下の中間部では、赤色と青色が同量混合して紫色となる。樹脂層２１，２２は上述のように徐々にその厚みが単調に変えてあるから、上球皿１３の前面を覆う樹脂成形体２全体では、上端部から下端部へ赤色から紫色を経て青色に至るグラデーション模様が視認される。
【００１４】
加えて、樹脂層２２の一部が突出して形成された「ＭＲＤ」の立体文字パターン３部では樹脂層２２の厚みが局部的に厚くなっているため、その周囲よりも赤色が勝り、グラデーション模様の中に「ＭＲＤ」の文字が浮かんだものが視認される。このようにして、従来のような煩わしい工程を経ることなく、二色成形等の簡易な工程で、球皿１３とこれを設けた遊技機１の外観意匠性を向上させることができる。
【００１５】
なお、樹脂成形体２の各樹脂層２１，２２の色の組み合わせは本実施形態のものには限られない。また、樹脂成形体２の奥側に位置する樹脂層２２を、着色した不透光性のものとしても良く、この場合は白色層２３を形成する必要は特にない。また、樹脂層２１，２２の一方を一定厚とし、他方の厚みのみを変化させるようにしても良い。さらに、樹脂層２１，２２の厚みは単調に変化させる必要はなく、所望の模様に応じて急峻な変化を含む種々の態様で厚みを変化させるようにして良い。樹脂成形体２は多色成形によって３層以上の複数層を重ねた構造としても良く、この場合は全てを着色層とする必要はない。なお、上球皿と下球皿を一体化した一体皿の表面を、上記樹脂成形体で覆うようにしてももちろん良い。
【図面の簡単な説明】
【００１６】
【図１】本発明の一実施形態を示す遊技機の正面図である。
【図２】本発明の一実施形態を示す、球皿を覆う樹脂成形体の上下方向の横断面図である。
【符号の説明】
【００１７】
１…遊技機、１３…球皿、２…樹脂成形体、２１，２２…樹脂層、２２ａ…接触面、３…立体パターン。
【図１】
2005052530.tif 000003
【図２】
2005052530.tif 000004